(57)【要約】【課題】着脱が容易で操作性に優れており、装着したドリルに芯ぶれが生じることがなく、しかも洗浄性に優れた手術用ドリルアタッチメントを提供する。【解決手段】ドリルアタッチメント１は、ハンドピースに接続されるシャンク部３と、ドリルが着脱自在に装着される略スリーブ状のドリルホルダー５を備えている。ホルダー５には、ドリルを把持するためのすり割り構造が設けられている。すり割り構造は、スリット２１〜２４と、ドリルを把持するための把持部材４１〜４４と、把持部材の把持力を適度に設定する丸穴３２，３４から構成される。上記構成によれば、ドリル挿脱時にドライバーを必要とせず、単に抜き差しするだけで組立分解可能なので、操作性に優れている。また従来のネジ留め方式と違って、横から力を加えなくてもドリルを固定できるので、芯ぶれが生じない。さらに、すり割り構造を採用したことで、アタッチメントの洗浄性を改善できる。【選択図】図１
2008132041.tif 000002
【特許請求の範囲】
【請求項１】
歯科治療または外科治療においてハンドピースに接続して用いられる器具であって、骨切削用の回転切削器具を一体回転可能に固定し延長するためのアタッチメントにおいて、
ハンドピースに接続されるようになっているシャンク部と、
回転切削器具が着脱自在に装着されるようになっているホルダー部と、を備えており、
前記ホルダー部が、回転切削器具を把持するための把持手段を一体的に有していることを特徴とする医療用回転切削器具のアタッチメント。
【請求項２】
前記ホルダー部は、回転切削器具のシャンク部を挿入可能な略スリーブ形状を有し、
前記把持手段は、
略スリーブ状のホルダー部に形成されたスリットと、
該スリットを挟んで隣接し、装着された回転切削器具を把持するようになっている複数の把持部材と、を含んでいることを特徴と請求項１記載の医療用回転切削器具のアタッチメント。
【請求項３】
前記把持手段は、さらに、
前記スリットに連続するように形成され、回転切削器具に対する前記把持部材の把持力を適当な度合いに設定するための開口部を含んでいることを特徴と請求項２記載の医療用回転切削器具のアタッチメント。
【請求項４】
前記複数の把持部材は、装着された回転切削器具に芯ぶれが生じないように、前記ホルダー部の周方向において等間隔に配置されていることを特徴と請求項２又は３記載の回転切削器具用のアタッチメント。
【請求項５】
前記ホルダー部は、装着された回転切削器具を磁気固定するための磁性部材を有していることを特徴と請求項１乃至４の何れかに記載の医療用回転切削器具のアタッチメント。
【発明の詳細な説明】
【技術分野】
【０００１】
本発明は、手術用ドリルビットや整形外科用バーから成る医療用回転切削器具を一体回転可能に固定し延長するための器具であって、歯科治療または外科治療においてハンドピースの駆動ヘッドに接続して用いられるアタッチメントに関する。
【背景技術】
【０００２】
歯科治療や整形外科治療等においては、インプラントを骨に埋入する際、この骨にインプラントとほぼ同一形状の孔を穿孔している。例えば歯科治療においては、インプラントフィクスチャーを顎骨内に埋入するための埋入孔を形成するために、図５に示すようなドリル８が用いられている。図６には、図５のドリルのＸ−Ｘ線に沿った断面を示す。
【０００３】
図５に示すように、従来より歯科治療において一般的に用いられているドリル８は、顎骨９を切削するための刃部８１と、ハンドピースの駆動ヘッドに接続されるようになっているシャンク部８３と、前記刃部８１とシャンク部８３との間を接続する円柱状の主軸８９とを有している。シャンク部８３は所定規格に従った寸法・形状を有するように形成されており、ハンドピースからの回転力を伝達するための断面略半月状の回転伝達部８５と、ハンドピースからの脱落を防止するための脱落防止溝８７を有している。
【０００４】
このような歯科治療用ドリルは、施術時のドリルの回転ブレを防止し且つ開口する患者の負担軽減を図る観点から、比較的長さの短いものが使用される。しかし、インプラントフィクスチャーの埋入位置に隣接して残存歯が突き出ていると、施術時にハンドピースのヘッドが当該残存歯に接触する虞があり、そのような場合にはドリルの長さを延長して残存歯との接触を回避する必要がある。そこでかかる場合には、ドリルの長さを延長するための専用器具である手術用ドリルアタッチメント（ドリルエクステンション）が利用されている。
【０００５】
従来のドリルアタッチメントは、ハンドピースに接続されるようになっているシャンク部と、ドリルのシャンク部が挿入されるようになっているスリーブと、スリーブ内に挿入されたドリルをアタッチメントに固定するためのネジを有している。スリーブには、このネジと螺合するネジ孔が貫通して形成されている。
【０００６】
このようなドリルアタッチメントにおいて、ドリルをアタッチメントに固定する際には、スリーブに形成されたネジ孔にネジを通し、さらに当該ネジを締め付けることによってその先端でスリーブ内のドリル主軸を横から押さえ付ける。これにより、スリーブ内にあるドリルは、ネジ留めによる横からの締め付け力によって脱落不能にスリーブ側部に固定される。
【０００７】
しかしながら、上記ネジ留め式のドリルアタッチメントには、以下に述べる問題点があった。
【０００８】
（１）  まず従来のドリルアタッチメントは、ネジ留め方式を採用しているが故に、ドライバー等の工具を用いた組立作業および分解作業が必要であり、その作業が極めて煩雑であった。
【０００９】
（２）  また、ネジ先端でドリルを横から押さえ付けるように固定しているため、アタッチメントの回転軸とドリルの回転軸との間に軸ずれが生じる。そのため、切削作業時にドリルの回転ぶれが生じて、切削の正確さに欠けるといった問題が生じていた。
【００１０】
（３）  さらに、アタッチメントにネジ穴を形成する必要があるためにスリーブが肉厚になり、結果としてアタッチメントの外形が大型化する。そのため、施術者にとっては口腔内作業が困難になり、また患者にとっては開口時に苦痛を伴うことがあった。
【００１１】
（４）  さらに、ドリルアタッチメントのような医療器具は使用する度に超音波洗浄等で洗浄，滅菌する必要があるが、従来のドリルアタッチメントはその洗浄性に問題があった。すなわち、従来のアタッチメントのスリーブ部分は、ドリルを挿入するための挿入口と極小径のネジ穴が形成されているに過ぎない、いわゆるクローズドタイプである。そのため、スリーブ内の隅々に洗浄作用が十分に行き渡らず、スリーブ内の洗浄性に問題があった。また、ドリル固定用のネジ穴の内壁は凹凸が激しくて、かかる部分への洗浄，滅菌作用が十分にはなされず、このような観点からもドリルアタッチメントの洗浄性の改善が望まれていた。
【発明の開示】
【発明が解決しようとする課題】
【００１２】
上記従来技術の問題点に鑑み、本発明の目的は、着脱が容易で操作性に優れており、ネジ等の別体の固定部材を必要とせず、しかも、装着した回転切削器具に芯ぶれ，回転ぶれが生ずることがない、洗浄性に優れた医療用回転切削器具のアタッチメント（手術用ドリルアタッチメント）を提供することにある。
【課題を解決するための手段】
【００１３】
上述した目的は、歯科治療または外科治療においてハンドピースに接続して用いられ、骨切削用の回転切削器具を一体回転可能に固定し延長するためのアタッチメントであって、ハンドピースに接続されるようになっているシャンク部と、回転切削器具が着脱自在に装着されるようになっているホルダー部とを備えており、前記ホルダー部が、回転切削器具を把持するための把持手段を一体的に有しているアタッチメントによって達成される。
【００１４】
前記ホルダー部は、回転切削器具のシャンク部を挿入可能な略スリーブ形状を有していることが好ましく、また、前記把持手段は、略スリーブ状のホルダー部に形成されたスリットと、該スリットを挟んで隣接し、装着された回転切削器具を把持するようになっている複数の把持部材と、を含んでいることが好ましい。
【００１５】
また、前記把持手段は、さらに、前記スリットに連続するように形成され、回転切削器具に対する前記把持部材の把持力を適当な度合いに設定するための開口部を含んでいることが好ましい。
【００１６】
さらに、前記複数の把持部材は、装着された回転切削器具に芯ぶれが生じないように、前記ホルダー部の周方向において等間隔に配置されていることが好ましい。
【００１７】
さらに、前記ホルダー部は、装着された回転切削器具を磁気固定するための磁性部材を有していることが好ましい。
【発明の効果】
【００１８】
請求項１記載の本発明によれば、アタッチメントは当初から固定用の把持手段を一体的に備えているので、切削器具の装着時に別体の固定部材（ネジ等）を用意する必要がない。また、切削器具の挿脱時に、ドライバー等の工具を一切必要とせず、操作者の手で単に抜き差しするだけで組立・分解可能なので、従来のネジ留め方式に比べて着脱が遥かに容易で操作性に優れている。また、操作性の改善によって手術時間が短縮されるので、患者の負担が軽減される。
また、ネジ留め方式の場合には、ネジによって横から切削器具をアタッチメントに押し付けるため、芯ぶれが生ずる。これに対して、本発明の場合には、切削器具をホルダー内に保持させるために横から力を加える必要がないので、芯ぶれが生じない。したがって、アタッチメントに装着しても切削器具の切削性が低下することはないので、所望の埋入孔等を骨に正確に形成することが可能になる。
さらに、ネジ穴を設ける必要がないのでホルダー部を肉薄にすることができ、その結果、アタッチメントの外形を小型化できる。その結果、施術者の口腔内作業が容易になるとともに、開口する患者の負担軽減を図ることもできる。
【００１９】
請求項２記載の本発明によれば、スリーブ状のホルダー部はすり割り構造を有しているので、洗浄時における洗浄液の流通性を確保することができる。したがって、ホルダー内部を確実に洗浄，滅菌することができる。また、洗浄性に問題があったネジ穴を備えていないので、従来のクローズドタイプのアタッチメントに比して、優れた洗浄性を有しているといえる。
【００２０】
請求項３記載の本発明のように開口部を設けることにより、切削器具の挿脱時の操作性を阻害しない程度の適度の固定力（弾性力）を把持部材に持たせることができ、かつ、この状態を長期的に維持させることが可能になる。開口部の寸法・形状は、ホルダー部の寸法・形状・材質等の諸条件を考慮に入れた上で、操作者の挿脱感や把持部材の弾性限度等によって決定される。
なお、開口部を設けない場合には、初期状態では高い把持力が維持されるが、切削器具の抜き差しに伴って剛性が低下するので、経時的に把持力の低下を招く虞がある。また、ホルダー部の寸法や材質によっては、過度の剛性のために、切削器具の装着時・取外し時の操作性が阻害される虞がある。
【００２１】
請求項４記載の本発明によれば、複数の把持部材はホルダー部の周方向に等間隔に配置されているので、アタッチメントの回転軸と切削器具の回転軸が一致するように、切削器具を保持することができる。その結果、装着状態での軸ずれが防止されるので、切削器具の回転ぶれを確実に防止することができる。
【００２２】
請求項５記載の本発明によれば、アタッチメントからの切削器具の脱落を確実に防止することができる。また、アタッチメントへの切削器具の装着に際し磁気吸引作用が働くので、切削器具を所望の固定位置に確実にセットすることができる。
【発明を実施するための最良の形態】
【００２３】
本発明のアタッチメントは、手術用ドリルビットや整形外科用バーから成る回転切削器具を一体回転可能に固定し延長するための器具であって、歯科治療または外科治療においてハンドピースの駆動ヘッドに接続して用いられる。
【００２４】
以下、回転切削器具の一例として図５に示す歯科治療用のドリルを挙げ、添付図面に基づいて本発明のアタッチメント（ドリルエクステンション）の実施形態について詳細に説明する。
図１は本発明のアタッチメント１を示しており、図１（Ａ）（Ｂ）はそれぞれ正面図および側面図である。
図２は、図１に示すアタッチメントの底面図である。
図３は、図１のＶ−Ｖ線に沿った断面図である。
【００２５】
アタッチメント１はマルテンサイト系ステンレス等から成り、上端側に設けられたシャンク部３と、下端側に設けられたドリルホルダー（ホルダー部）５と、前記シャンク部３とドリルホルダー５との間を接続する円柱状の主軸７とを一体的に備えている。
シャンク部３は、図５に示すドリル８のシャンク部８３と同じ形状・寸法を有しており、施術時には歯科用ハンドピースの駆動ヘッドに接続されるようになっている。
ドリルホルダー５は、ドリル８のシャンク部８３を挿入可能な略スリーブ形状を有している。このドリルホルダー５には、ドリル８を把持するための把持手段（すり割構造）が設けられており、ドリル８が相対的に空回りしないように着脱自在に装着されるようになっている。
【００２６】
略スリーブ状のドリルホルダー５の下端側には、ドリル８のシャンク部８３が挿入されるようになっている挿入路５１が形成されている（図２参照）。この挿入路５１はドリル８の主軸８９よりもやや小径になるように形成されている。
【００２７】
またドリルホルダー５の内側上方には、挿入路５１に通ずる空間であって、ドリル８のシャンク部８３を収容するための内側空間５３が形成されている。この内側空間５３には、ドリル８の回転伝達部８５と係合してハンドピースからの回転力をドリル８に伝達するための凸状の係合部５２が形成されている。この係合部５２は、ドリル装着状態でドリル８の切欠部８２に位置し、ドリル回転方向において該ドリルの回転伝達部８５と相互干渉するようになっている。
【００２８】
さらに、ドリルホルダー５には、ドリル８を脱落防止可能に把持するための把持手段（すり割り構造）が一体的に設けられている。本実施形態では把持手段は、略スリーブ状のドリルホルダー５に形成されたスリット（すり割り）２１〜２４と、スリットに連続するように形成された開口部である丸穴３２，３４と、スリットを挟んで隣接する複数の把持部材４１〜４４から構成されている。
【００２９】
複数の把持部材４１〜４４は等間隔に形成されており、装着されたドリル８に芯ぶれが生じないように把持する役割を担う。本実施形態では一例として、９０°間隔で４つの把持部材４１〜４４が配置されるように、９０°間隔で４つのスリット２１〜２４が軸方向に沿って形成されている（図２参照）。そして、４つのスリットのうち、対向する２つのスリット２２，２４の上端部には、それぞれ丸穴３２，３４が形成されている（図１（Ｂ）及び図３参照）。また、他の２つのスリット２１，２３の上端部には、それぞれドリルホルダー内部の洗浄性を高めるための洗浄穴３１，３３が形成されている（図１（Ａ）及び図３参照）。
【００３０】
４つの把持部材４１〜４４の内側では、ドリル８の円柱状主軸８９が適度の固定力で把持される。そのため、４つの把持部材４１〜４４に囲まれる挿入路５１の径Ｄ（図２参照）は、ドリル８の主軸８９の径よりもやや小さくなるように形成されている。
【００３１】
丸穴３２，３４はそれぞれ、図１（Ｂ）に示すように、スリット２２，２４の上端部において該スリットに連続するように形成されている。この丸穴３２，３４は、把持部材４１〜４４によるドリルの固定力（弾性力）を適当な度合いに設定するための弾性調整穴として機能する。
【００３２】
なお、図示していないが必要であれば、把持部材４１〜４４による固定力を補うために、装着されたドリル８を磁気固定するための磁性部材をアタッチメント１に設けることも可能である。磁性部材の具体例としてはサマリュームコバルト系磁石等が挙げられる。このような磁石は、例えばドリルホルダー５の上端部（または主軸７の下端部）に設けてもよい。これにより、ドリル８の上端部がドリルホルダー上部側に磁気吸引されるので、把持部材４１〜４４による固定力と協働してドリル８の脱落をより確実に防止することができる。また、アタッチメント１へのドリル８の装着に際し磁気吸引作用が働くので、ドリル８を所望の固定位置に確実にセットすることができる。
【００３３】
次に、図４に基づいて、上述した構成を有するアタッチメント１に対するドリル８の挿脱手順について述べる。図４（Ａ）は、図１のアタッチメント１に対し図５のドリル８を装着する手順を示しており、図４（Ｂ）は、ドリル８を装着した状態のアタッチメント１を示している。
【００３４】
アタッチメント１にドリル８を装着する際には、図４（Ａ）に示すように、ドリル８のシャンク部８３を、挿入路５１を介してドリルホルダー５内に挿入する。その際、挿入路５１にドリル８の上端を押し込むことにより、把持部材４１〜４４が放射方向に僅かに弾性変形して挿入路５１が拡径する。そして、把持部材４１〜４４との間に生ずる摩擦抵抗および当該把持部材の弾性力に抗してドリル８を押し込むと、該ドリルのシャンク部８３が挿入路５１を超えてドリルホルダー５内に完全に収容される。
【００３５】
装着後は、ドリルホルダー５の内側空間５３で横方向に突き出た係合部５２と、ドリルの回転伝達部８５が回転方向において係合（相互干渉）するので、ドリル８がアタッチメント１に対し空回りすることはなく、ハンドピースからの回転力はアタッチメント１を介してドリル８に確実に伝達される。また、把持部材４１〜４４とドリル８との間に摩擦抵抗が生ずるとともに、把持部材４１〜４４が、弾性変形に伴う固定力によってドリルの主軸を求心方向に押さえ付けるので、施術中にドリル８がアタッチメント１から脱落することはない。
【００３６】
アタッチメント１からドリル８を取り外す際には、把持部材４１〜４４による固定力および摩擦抵抗に抗してドリル８を軸方向に引っ張ることにより、ドリルホルダー５からドリル８のシャンク部８３を抜き出すことができる。完全に抜き出すと、把持部材４１〜４４は原形に復帰し、挿入路５１はもとの寸法に縮径する。
【００３７】
アタッチメント１を洗浄する際には、上記手順でドリル８を取り外して、それぞれを超音波洗浄する。超音波洗浄の過程では、洗浄液が挿入路５１，スリット２１〜２４，洗浄穴３１，３３および丸穴３２，３４を介して、ドリルホルダー５内の隅々に行き渡り、アタッチメント１の全体の隅々にわたって十分な洗浄効果が発揮される。このように、本発明のアタッチメントは、従来のクローズドタイプのアタッチメントに比して優れた洗浄性を有しており、アタッチメントの外側は勿論のことホルダー内部も確実に洗浄することができる。
【００３８】
以上、本実施形態では、アタッチメントに歯科治療用のドリルを装着する場合について説明したが、本発明はこれに限定されるものではない。例えば、外科用インプラントを埋入する際に用いられるドリルを装着する場合にも用いることが可能である。
また、本発明のアタッチメントの形態は上記実施形態及び図面に示す態様に限定されるものではなく、例えば注水機能付きのドリルを装着する場合を考慮して、ハンドピースからの冷却水を送給するための注水孔（貫通孔）をアタッチメントの軸線に沿って形成してもよい。
【図面の簡単な説明】
【００３９】
【図１】本発明のアタッチメントを示しており、図１（Ａ）（Ｂ）はそれぞれ正面図および側面図である。
【図２】図１に示すアタッチメントの底面図である。
【図３】図１のＶ−Ｖ線に沿った断面図である。
【図４】図４（Ａ）は図１のアタッチメントに対し図５のドリルを装着する手順を示しており、図４（Ｂ）はドリルを装着した状態のアタッチメントを示している。
【図５】歯科治療において一般的に用いられているドリルを示す図である。
【図６】図５のドリルのＸ−Ｘ線に沿った断面を示す
【符号の説明】
【００４０】
１      アタッチメント（ドリルエクステンション）
３      シャンク部
５      ドリルホルダー（ホルダー部）
７      主軸
８      歯科治療用のドリル（回転切削器具）
９      顎骨
２１    スリット（すり割り）
２２    スリット（すり割り）
２３    スリット（すり割り）
２４    スリット（すり割り）
３１    洗浄穴
３２    丸穴（開口部）
３３    洗浄穴
３４    丸穴（開口部）
４１    把持部材
４２    把持部材
４３    把持部材
４４    把持部材
５１    挿入路
５２    係合部
５３    内側空間
８１    刃部
８２    切欠部
８３    シャンク部
８５    回転伝達部
８７    脱落防止溝
８９    主軸
【図１】
2008132041.tif 000003
【図２】
2008132041.tif 000004
【図３】
2008132041.tif 000005
【図４】
2008132041.tif 000006
【図５】
2008132041.tif 000007
【図６】
2008132041.tif 000008